(57)【要約】【課題】陳列箱の位置を変更できる商品陳列用具を提供すること。【解決手段】スティック状の商品や箱形状の商品などの各種の商品を店頭に陳列又は展示するための商品陳列用具である。背面板１０と、複数の陳列箱２０，３０により構成され、この複数の陳列箱２０，３０のうち、第１の陳列箱２０を前記背面板１０に直接固着し、第１の陳列箱２０以外の陳列箱３０を、該陳列箱３０の後部上辺に設けた接続板３１を介して第１の陳列箱２０の下方の背面板１０の部分に回動自在に取り付ける。【選択図】図１
0003115173.tif 000002
【実用新案登録請求の範囲】
【請求項１】
スティック状の商品や箱形状の商品などの各種の商品を店頭に陳列又は展示するための商品陳列用具であって、背面板と、複数の陳列箱により構成され、この複数の陳列箱のうち、第１の陳列箱を前記背面板に直接固着し、第１の陳列箱以外の陳列箱を、該陳列箱の後部上辺に設けた接続板を介して第１の陳列箱の下方の背面板の部分に回動自在に取り付けたことを特徴とする商品陳列用具。
【請求項２】
前記背面板を吊り下げることにより、第１の陳列箱以外の陳列箱を、第１の陳列箱より離反させることを特徴とする請求項１記載の商品陳列用具。
【請求項３】
前記背面板をカウンター上に載置することにより、第１の陳列箱以外の陳列箱を、第１の陳列箱に接近させることを特徴とする請求項１記載の商品陳列用具。
【請求項４】
前記接続板の長さＬ２を、第１の陳列箱の奥行きの長さＬ１とほぼ同等とすることを特徴とする請求項１記載の商品陳列用具。
【請求項５】
前記第１の陳列箱以外の陳列箱は、その背後にスペーサを有していることを特徴とする請求項１記載の商品陳列用具。
【請求項６】
前記スペーサの奥行きの長さＬ３を、第１の陳列箱の奥行きＬ１の２０〜６０％とすることを特徴とする請求項５記載の商品陳列用具。
【請求項７】
前記背面板は、フック掛け用の開口部を有することを特徴とする請求項１記載の商品陳列用具。
【請求項８】
前記背面板は、その両側に側板を有すると共に、該側板に吊り紐取り付け用の穴を有することを特徴とする請求項１記載の商品陳列用具。
【請求項９】
さらに、前記各陳列箱は、スティック状又はチューブ状の商品を自立した状態で支持する中敷を有し、この中敷は、プレートと、該プレートを箱体の底部から所定の高さに支持する脚部と、前記プレートに設けた複数の商品挿入用の穴とを有する請求項１〜６のいずれかに記載の商品陳列用具。
【請求項１０】
前記中敷がプラスチック板製または紙製であり、背面板や陳列箱などの中敷以外の部品が厚紙製であることを特徴とする請求項９記載の商品陳列用具。
【請求項１１】
前記中敷に設けた商品挿入用の穴が瓢箪型であることを特徴とする請求項９または１０記載の商品陳列用具。
【考案の詳細な説明】
【技術分野】
【０００１】
本考案は、スキンケア、ボディーケア、ヘアケアなどのトイレタリー商品及び化粧品で、チューブ状の自立が困難な商品、或いは、箱形状の商品を店頭に陳列又は展示するための商品陳列用具、更に詳しくは、壁面に吊り下げたり、或いは、カウンターに載置して使用することができる２ウエイ方式の厚紙製の商品陳列用具に関するものである。
【背景技術】
【０００２】
スキンケア、ボディーケア、ヘアケアなどのトイレタリー商品及び化粧品で、スティック状やチュ−ブ状の自立が困難な商品を自立させた状態で店頭に陳列又は展示するための商品陳列用具、或いは、箱形状の各種の商品を店頭に陳列又は展示するための商品陳列用具については、従来から多種多様の提案が行われている。
【０００３】
しかしながら、従来の商品陳列用具は、いずれも所定の形状に定型化又は固定化されており、その形状を任意に変更することができなかった。従って、商品の配置や配列を替えて商品の斬新さを演出しようとしても商品陳列用具の形状が定型化又は固定化されているから、商品の配置や配列を替えても商品の斬新さを演出することが困難であった。
【０００４】
このような事情から商店のオーナーなどから、商品陳列用具の形状などを、多少、変形又は変更できるものができないかというような要望が少なくなかった。
【考案の開示】
【考案が解決しようとする課題】
【０００５】
本考案は、このような要望を適えるために考案したものであり、その目的とするところは、商品陳列用の陳列箱の位置を変更することができる商品陳列用具を提供することにある。
【課題を解決するための手段】
【０００６】
上記の課題を解決するため、本考案は、次のように構成されている。
請求項１の記載に係る本考案の商品陳列用具は、スティック状の商品や箱形状の商品などの各種の商品を店頭に陳列又は展示するための商品陳列用具であって、背面板と、複数の陳列箱により構成され、この複数の陳列箱のうち、第１の陳列箱を前記背面板に直接固着し、第１の陳列箱以外の陳列箱を、該陳列箱の後部上辺に設けた接続板を介して第１の陳列箱の下方の背面板の部分に回動自在に取り付けたことを特徴としている。
【０００７】
請求項２の記載に係る本考案の商品陳列用具は、前記背面板を吊り下げることにより、第１の陳列箱以外の陳列箱を、第１の陳列箱より離反させることを特徴とする請求項１記載の商品陳列用具である。
【０００８】
請求項３の記載に係る本考案の商品陳列用具は、前記背面板をカウンター上に載置することにより、第１の陳列箱以外の陳列箱を、第１の陳列箱に接近させることを特徴とする請求項１記載の商品陳列用具である。
【０００９】
請求項４の記載に係る本考案の商品陳列用具は、前記接続板の長さＬ２を、第１の陳列箱の奥行きの長さＬ１とほぼ同等とすることを特徴とする請求項１記載の商品陳列用具である。
請求項５の記載に係る本考案の商品陳列用具は、前記第１の陳列箱以外の陳列箱は、その背後にスペーサを有していることを特徴とする請求項１記載の商品陳列用具である。
【００１０】
請求項６の記載に係る本考案の商品陳列用具は、前記スペーサの奥行きの長さＬ３を、第１の陳列箱の奥行きＬ１の２０〜６０％とすることを特徴とする請求項５記載の商品陳列用具である。
【００１１】
請求項７の記載に係る本考案の商品陳列用具は、前記背面板は、フック掛け用の開口部を有することを特徴とする請求項１記載の商品陳列用具である。
【００１２】
請求項８の記載に係る本考案の商品陳列用具は、前記背面板は、その両側に側板を有すると共に、該側板に吊り紐取り付け用の穴を有することを特徴とする請求項１記載の商品陳列用具である。
【００１３】
請求項９の記載に係る本考案の商品陳列用具は、さらに、前記各陳列箱は、スティック状又はチューブ状の商品を自立した状態で支持する中敷を有し、この中敷は、プレートと、該プレートを箱体の底部から所定の高さに支持する脚部と、前記プレートに設けた複数の商品挿入用の穴とを有する請求項１〜６のいずれかに記載の商品陳列用具である。
【００１４】
請求項１０の記載に係る本考案の商品陳列用具は、前記中敷がプラスチック板製または紙製であり、背面板や陳列箱などの中敷以外の部品が厚紙製であることを特徴とする請求項９記載の商品陳列用具である。
【００１５】
請求項１１の記載に係る本考案の商品陳列用具は、前記中敷に設けた商品挿入用の穴が瓢箪型であることを特徴とする請求項９または１０記載の商品陳列用具である。
【考案の効果】
【００１６】
上記のように、本考案の商品陳列用具は、スティック状の商品や箱形状の商品などの各種の商品を店頭に陳列又は展示するための商品陳列用具であって、背面板と、複数の陳列箱により構成され、この複数の陳列箱のうち、第１の陳列箱を前記背面板に直接固着し、第１の陳列箱以外の陳列箱を、該陳列箱の後部上辺に設けた接続板を介して第１の陳列箱の下方の背面板の部分に回動自在に取り付けたことを特徴としている。
【００１７】
従って、上記商品陳列用具を店頭内に吊り下げた場合には、第１の陳列箱以外の陳列箱は、自重又は商品の重量によって接続板の先端部を中心にして下方に回動し、第１の陳列箱と、それ以外の陳列箱との上下方向の間隔が拡大する。
【００１８】
また、この商品陳列用具を店頭のカウンターなどの台の上に載置すると、第１の陳列箱以外の陳列箱は、接続板の先端部を中心にして上方に回動し、第１の陳列箱と、それ以外の陳列箱とが密着する。
【００１９】
従って、本考案によれば、商品陳列用具を店頭内に吊り下げたり、或いは、カウンターなどの台の上に載置する簡単な作業で、その形状又は形態を変化させることができるので、商品に対するイメージを新たにすることができ、販売促進に寄与することができるという効果がある。
【００２０】
即ち、この商品陳列用具を店頭内に吊り下げた場合には、上記のように、第１の陳列箱と、それ以外の陳列箱との上下方向の間隔が拡大するため、商品のスリム感や近親感などを強調することができる。
【００２１】
また、この商品陳列用具を店頭のカウンターなどの台の上に載置した場合には、上記のように、第１の陳列箱と、それ以外の陳列箱とが密着するため、商品の重厚感や高級感などを強調することができる。
【考案を実施するための最良の形態】
【００２２】
以下、本考案の実施の形態を図面を用いて説明する。
なお、この実施の形態では、中敷を設置したものを例に取るが、所望により中敷は、使用しなくても差し支えがない。
【００２３】
図１は、本考案に係る商品陳列用具を吊り下げた時の一部断面を含む斜視図、図２は、本考案に係る商品陳列用具をカウンターなどの台の上に載置した時の一部断面を含む斜視図である。
図１に示すように、商品陳列用具（以下、陳列棚という。）Ａは、背面板１０と、複数（例えば、２個）の陳列箱２０，３０により構成されている。
【００２４】
背面板２０は、スリット状の横長の開口部１１を有し、図示しない壁面などの構造物に装着したフック（図示せず）に掛けることができるようになっている。また、この背面板１０は、その両側にそれぞれ側板１２を有している。各側板１２は、それぞれ、穴１３を有し、吊り紐５１を取り付けることができるようになっている。
【００２５】
第１の箱体２０は、有底無蓋の長方形の箱体であり、背面板１０の前面に直接固着されている。この第１の陳列箱（陳列トレーともいう。）２０は、前端部２１の高さが後端部２２の高さより低くなっており、前方から商品が見やすくなっている。
【００２６】
他方、第２の陳列箱（陳列トレーともいう。）３０は、その後部上辺に接続板３１を有し、その先端３２が第１の陳列箱２０の直下の背面板１０の部分に固定されている。この場合、接続板３１の長さＬ２は、第１の陳列箱２０の奥行きの長さＬ１とほぼ同じとなっている。
このように設計すると、図２に示すように、陳列棚Ａをカウンターなどの台５２上に載置した時、接続板３１が第１の陳列箱２０の下面に接触し、第２の陳列箱３０が第１の陳列箱２０の下段前方に位置するようになる。
【００２７】
また、図１に示すように、陳列棚Ａを壁面などの構造物（図示せず）に装着したフック（図示せず）に掛けた場合、第２の陳列箱３０の背面に設けたスペーサ３３が背面板１０に接触し、第２の陳列箱３０が第１の陳列箱２０の下方に位置するようになる。
【００２８】
ここで、スペーサ３３の奥行きの長さＬ３は、第１の箱体２０の奥行きの長さＬ１の２０〜６０％とすることが望ましい。
【００２９】
また、図１に戻って説明すると、第２の陳列箱３０は、有底無蓋の長方形の箱体であり、第１の陳列箱２０と同様に、前端部３４の高さが後端部３５の高さより低くなっており、前方から商品が見やすくなっている。
【００３０】
また、第１，第２の各陳列箱２０，３０は、スティック状又はチューブ状の商品Ｂを自立した状態で支持する中敷４０を設置することができる。この中敷４０は、プラスチック板をプレス加工したものであり、長方形のプレート４１の周囲にプレート４１を各陳列箱２０，３０の底部から所定の高さに支持する短冊状の脚部４２が形成されている。また、プレート４１には、複数の商品挿入用の穴４３が設けられている。この穴４３は、前後する２個の円穴を接続させた瓢箪型となっている。
【００３１】
この陳列棚Ａは、背面板１０や陳列箱２０，３０などの中敷４０以外の部品が厚紙で作られている。なお、各陳列箱２０，３０には、商品Ｂが自立できる場合や、箱形の商品などの場合には、中敷を設置しなくてもよい。
【００３２】
次に、この陳列棚の作用について説明する。
図１に示すように、陳列棚Ａを壁面などの構造物（図示せず）に装着したフック（図示せず）に掛けた場合には、接続板３１の先端３２を中心にして第２の陳列箱３０が反時計方向に回動し、第２の陳列箱３０の背面に設けたスペーサ３３が背面板１０に接触したところで停止する。このため、図１のように、第１，第２の陳列箱２０，３０が上下２段になったようなイメージを受ける。
【００３３】
他方、図２に示すように、陳列棚Ａをカウンタなどの台５２上に載置した場合には、接続板３１の先端３２を中心にして第２の陳列箱３０が時計方向に回動し、接続板３１が第１の陳列箱２０の下面に接触し、第２の陳列箱３０が第１の陳列箱２０の下段前方に位置するようになる。
【００３４】
ここで、スティック状又はチューブ状の商品Ｂを中敷４０の穴４３に差し込むと、中敷４０のプレート４１によってスティック状又はチューブ状の商品Ｂを自立した状態で支持することができる。
【００３５】
この考案は、この実施の形態に限定されるのではなく、登録請求の範囲に記載した範囲のものを包含するものである。
【図面の簡単な説明】
【００３６】
【図１】本考案に係る商品陳列用具を吊り下げた時の一部断面を含む斜視図である。
【図２】本考案に係る商品陳列用具をカウンターなどの台の上に載置した時の一部断面を含む斜視図である。
【符号の説明】
【００３７】
Ａ  商品陳列用具
Ｂ  商品
１０  背面板
２０  第１の陳列箱
３０  第１の陳列箱以外の陳列箱
３１  接続板
【図１】
0003115173.tif 000003
【図２】
0003115173.tif 000004